【手続補正書】
【提出日】令和3年1月26日(2021.1.26)
【手続補正１】
【補正対象書類名】明細書
【補正対象項目名】００１５
【補正方法】変更
【補正の内容】
【００１５】
図６（ａ）〜図６（ｄ）は、偏芯カム１２とガイドパイプ１４、１５の位置関係を時系列的に示し、図６（ｅ）〜図６（ｈ）は、図６（ａ）〜図６（ｄ）における偏芯カム１２の回転運動に沿って、固定側のプレート２０に対して稼働側のプレート３０の軌道を示した図である。
図６（ａ）は、偏芯カム１２の大径部が時計の３時の位置でガイドパイプ１４、１５が時計の９時の位置にある状態を示す。この状態から偏芯カム１２が時計周りに９０度回転した状態が図６（ｂ）である。つまり、偏芯カム１２の大径部が時計の６時の位置でガイドパイプ１４、１５が時計の１２時の位置にある状態を示す。
この状態から偏芯カム１２が時計周りに９０度回転した状態が図６（ｃ）である。つまり、偏芯カム１２の大径部が時計の９時の位置でガイドパイプ１４、１５が時計の３時の位置にある状態を示す。この状態から偏芯カム１２が時計周りに９０度回転した状態が図６（ｄ）である。つまり、偏芯カム１２の大径部が時計の６時の位置でガイドパイプ１４、１５が時計の１２時の位置にある状態を示す。
【手続補正２】
【補正対象書類名】明細書
【補正対象項目名】００１７
【補正方法】変更
【補正の内容】
【００１７】
図７（ａ）、図７（ｂ）は、ガイドパイプ１４、１５の機能を説明する図である。図７（ａ）は、ガイドパイプを例えばガイドパイプ１４の１本とした場合である。ガイドパイプ１４が１本では、ガイドパイプ１４がガイド穴５１内を自由に移動することができるため、平行運動として成立しない。また、図７（ｂ）は、ガイドパイプがない場合を示す。この場合、偏芯カム１２の回転による稼働側プレート群３の動作に規制が与えられないため、上下左右に自由に揺れることとなり平行運動とならない。このため、稼働側プレート群３に平行運動をさせるためには、駆動シャフト１３（偏芯カム１２）の回転方向に対して上流側と下流側の双方にガイドパイプ１４、１５を配置するのが好ましい。
【手続補正３】
【補正対象書類名】明細書
【補正対象項目名】００２３
【補正方法】変更
【補正の内容】
【００２３】
本発明を食品工場などの有機系排水処理施設から発生する余剰汚泥処理に関わる汚泥脱水に利用した場合について説明する。このときの対象汚泥の含水率は９８〜９９％程度（濃度１〜２％）である。
図８に示した処理装置１００は、食品工場などから発生する汚泥処理に適した汚泥脱水装置である。処理対象汚泥を図示しない混和槽内に移送する。同時に高分子凝集剤を混和槽内に移送する。そして、混和槽内で適正な汚泥１１０のフロックを形成させ、十分な大きさ（５〜１０ｍｍ）のフロックが得られた後にフロック化した汚泥１１０が混和槽から濃縮部１０２へとオーバーフローされる。濃縮部１０２で採用されるプレート２１とプレート３１との隙間は０．５〜１．０ｍｍであるので、濃縮部１０２へ導入された汚泥１１０の水分は、隙間から重力によって落下する。
また、固定側プレート群２と稼働側プレート群３とは平行運動を行うように設定されているのであるから、上下運動とともに偏芯カム１２の偏芯量だけは固形物（フロック化した汚泥１１０）が前方へ移動することになる。
【手続補正４】
【補正対象書類名】明細書
【補正対象項目名】００２５
【補正方法】変更
【補正の内容】
【００２５】
加圧部１６０を備えた脱水部１０１では、プレート１２１，１３１の位置する角度と、その上部からの加圧板１６２が合わさって、排出口側１０５に向かってプレート１２１，１３１と加圧板１６２との間の空間容積が小さくなるように設定することで、内圧が高まり脱水される。つまり、汚泥１１０が排出口側１０５に進んで圧力が高まるに伴い、プレート１２１とプレート１３１との隙間から水分が除去されていく。このとき、より圧力を掛けると同時に、汚泥回収率を高めるために、濃縮部１０２のプレート２０とプレート３０との隙間より小さな隙間である０．２〜０．５ｍｍにプレート１２１とプレート１３１との隙間を設定するのが好ましい。
さらに、図８に示すように、脱水部１０１よりも上流に濃縮部１０２を配置することで、脱水部１０１に導入される前段において汚泥１１０を濃縮することができ、脱水部１０１で効率よく圧密することから含水率の低減が望める。また、調整によっては処理量を増加させることもできる。
【手続補正５】
【補正対象書類名】特許請求の範囲
【補正対象項目名】全文
【補正方法】変更
【補正の内容】
【特許請求の範囲】
【請求項１】
複数のプレートがプレート厚み方向に一定の隙間で配置されて一体的に構成された固定側プレート群と、
前記固定側プレート群を構成するプレートとは異なる複数のプレートがプレート厚み方向に一定の隙間で配置されて一体的に構成された稼働側プレート群とを備え、
前記固定側プレート群のプレートと前記稼働側プレート群のプレートとが互いの間隔に入り込んで前記固定側プレート群のプレートと前記稼働側プレート群のプレートとの間に僅かなギャップを形成する固液分離装置であって、
前記稼働側プレート群を平行運動させる駆動手段を備え、
前記駆動手段は、
１つの駆動モータと、
偏芯カムを備え、前記駆動モータによって回転駆動される駆動シャフトと、
前記駆動シャフトの回転方向の上流側と下流側とに配置され、前記稼働側プレート群に設けられた複数のガイドパイプとを具備し、
前記駆動手段で前記駆動シャフトを回転駆動することで前記偏芯カムを回転させて、前記稼働側プレート群を前記偏芯カムで作動して平行運動を行わせ、前記固定側プレート群と前記稼働側プレート群との間に位相差を生み出すことを特徴とする固液分離装置。
【請求項２】
複数のプレートがプレート厚み方向に一定の隙間で配置されて一体的に構成された固定側プレート群と、
前記固定側プレート群を構成するプレートとは異なる複数のプレートがプレート厚み方向に一定の隙間で配置されて一体的に構成された稼働側プレート群とを備え、
前記固定側プレート群のプレートと前記稼働側プレート群のプレートとが互いの前記隙間に入り込んで前記固定側プレート群のプレートと前記稼働側プレート群のプレートとの間に僅かなギャップを形成する固液分離装置であって、
前記稼働側プレート群を平行運動させる駆動手段を備え、
前記駆動手段は、
１つの駆動モータと、
偏芯カムを備え、前記駆動モータによって回転駆動される駆動シャフトと、
前記駆動シャフトの回転方向の上流側と下流側とに配置され、前記稼働側プレート群の動きを制限する複数のガイドパイプとを具備し、
前記駆動モータで前記駆動シャフトを回転駆動することで前記偏芯カムを回転させて、前記稼働側プレート群を前記偏芯カムで移動させて平行運動を行わせ、前記固定側プレート群と前記稼働側プレート群との間に位相差を生み出すことを特徴とする固液分離装置。
【請求項３】
請求項１または２記載の固液分離装置において、
前記偏芯カムを含む前記駆動シャフト及び前記各ガイドパイプは前記稼働側プレート群の上方に配置されていることを特徴とする固液分離装置。
【請求項４】
処理対象物を脱水しながら搬送する脱水搬送部と、前記脱水搬送部よりも前記処理対象物の搬送方向上流側に配置された濃縮部とを備え、
前記濃縮部として請求項１ないし３の何れか一つに記載の固液分離装置を用いたことを特徴とする処理装置。
【請求項５】
請求項４記載の処理装置において、
前記処理対象物をフロック化させる混和槽と前記脱水搬送部との間に前記濃縮部が配置されていることを特徴とする処理装置。
【請求項６】
処理対象物を投入口側から排出口側へ向けて脱水しながら搬送する脱水搬送部として請求項１ないし３の何れか一つに記載の固液分離装置を用いたことを特徴とする処理装置。
【請求項７】
請求項６記載の処理装置において、
前記固定側プレート群と前記稼働側プレート群とが、前記排出口側に対して上り傾斜して設けられていることを特徴とする処理装置。